(57)【要約】      （修正有）【課題】見た目も良く、パソコンでの画像加工、ナンバープレートの付け替えなどの手間が無く簡単に車両や車両を含む風景の撮影後、画像をインターネット上への掲載を可能にするフロント用ナンバープレート隠しを提供する。【解決手段】ナンバープレート８同等サイズの板材７裏面にナンバープレート８を車両に固定しているボルト９頭部分に引っ掛かる形状のボルト掛け部材５を、リア側の封印部分には封印掛け部材を粘着剤で貼り付けてナンバープレート８に設置して隠しナンバープレート８を隠すことにある。【選択図】図５
0003209965.tif 000002
【実用新案登録請求の範囲】
【請求項１】
ナンバープレート同等サイズの板材裏面にナンバープレートを車両に固定しているボルト頭部分に引っ掛かる形状のゴム、樹脂、スポンジ、皮などを粘着剤で貼り付けてナンバープレートを車両に固定しているボルト頭部分に設置してナンバープレートを隠すことを特徴とするフロント用ナンバープレート隠し。
【請求項２】
ナンバープレート同等サイズの板材裏面にナンバープレートを車両に固定しているボルト頭部分に引っ掛かる形状、封印部には封印に引っ掛かる形状のゴム、樹脂、スポンジ、皮などを粘着剤で貼り付けてナンバープレートを車両に固定しているボルト頭部分、及び封印部分に設置してナンバープレートを隠すことを特徴とするリア用ナンバープレート隠し。
【請求項３】
ナンバープレート同等サイズの板材表面に文字又は図形を描いたことを特徴とする請求項１、請求項２に記載のナンバープレート隠し。
【考案の詳細な説明】
【技術分野】
【０００１】  本考案は、車両撮影時などにナンバープレートを簡単に隠すためのものである。
【背景技術】
【０００２】  個人、企業、団体などがインターネット上に車両の画像、又は車両を含む風景の画像を掲載することがある。
【考案の概要】
【考案が解決しようとする課題】
【０００３】  インターネット上に撮影した車両、又は車両を含む風景の画像を掲載する際、ウエス、又はダンボール紙などを用いて車両のナンバープレート部分を隠し撮影する場合がある。【０００４】  又は、上述の方法では見た目が悪いと思う撮影者は、車両撮影後、パソコンの画像加工ソフトなどを用い、ナンバープレート部分の画像加工を行うか、車両撮影前にナンバープレートを外し、ナンバープレート同様の穴が開いた、同等程度サイズの板材をネジ止めしてから撮影する必要があった。
【課題を解決するための手段】
【０００５】  上述の課題を解決するための本考案に係るナンバープレート隠しの特徴はナンバープレート同等サイズの板材裏面にナンバープレートを車両に固定しているボルト頭部分に引っ掛かる形状のゴム、樹脂、スポンジ、皮などを粘着剤で貼り付けてナンバープレートを車両に固定しているボルト頭部分に設置してナンバープレートを隠すことにある。なお、リア側の封印部には封印に引っ掛かる形状のゴム、樹脂、スポンジ、皮などを貼り付ける。
【考案の効果】
【０００６】  本考案は、見た目も良く、パソコンでの画像加工、ナンバープレートの付け替えなどの手間が無く簡単に車両や車両を含む風景の撮影後、画像をインターネット上への掲載が可能である。又、固定をしていないので取り外しも簡単に行える。
【考案を実施するための形態】
【０００７】  本考案を図示の実施例に基づいて説明する。
【実施例１】
【０００８】  図１は車両４にフロント用ナンバープレート隠し１を、図２は車両４にリア用ナンバープレート隠し２を取付けた実施図である。図が示すようにフロント用ナンバープレート隠し１、リア用ナンバープレート隠し２表面には、文字３が書かれている。【０００９】  更に、フロント用ナンバープレート隠し１、リア用ナンバープレート隠し２表面には文字３以外に、顧客の要望に合わせ、無地又は、企業名、商品名、宣伝文句、図形などを描いて提供する。【００１０】  図３は板材７裏面に、ナンバープレート８を車両４に固定しているボルト９の頭部分の位置に合うよう、ボルト掛け部材５を粘着剤にて貼り付けている。【００１１】  図４は板材７裏面に、封印１０部分には封印掛け部材６を、ボルト９の頭部分にはボルト掛け部材５を粘着剤にて貼り付けている。【００１２】  数量のまとまった発送の際には、板材７とボルト掛け部材５、封印掛け部材６は別梱包にて発送する。その際には、ボルト掛け部材５、封印掛け部材６の貼付け位置を板材７裏面に印刷を施し、容易に正確な位置に貼付け出来るようにする。
【実施例２】
【００１３】  なお、ボルト掛け部材５の形状は、図７に示すような形状以外に、図９（ａ）〜（ｉ）に示すような種々の形状を採用することが出来る。【００１４】  封印掛け部材６の形状は、図８に示すような形状以外に、図１０（ｊ）〜（ｒ）に示すような種々の形状を採用することが出来る。
【図面の簡単な説明】
【００１４】
【図１】  フロント用の実施図である。
【図２】  リア用の実施図である。
【図３】  フロント用裏面の斜視図である。
【図４】  リア用裏面の斜視図である。
【図５】  ボルト掛け部材使用状態の断面図である。
【図６】  封印掛け部材使用状態の断面図である。
【図７】  フロント用裏面の正面図である。
【図８】  リア用裏面の正面図である。
【図９】  ボルト掛け部材の変形例である。
【図１０】  封印掛け部材の変形例である。
【符号の説明】
【００１５】  １  フロント用ナンバープレート隠し
２  リア用ナンバープレート隠し
３  文字
４  車両
５  ボルト掛け部材
６  封印掛け部材
７  板材
８  ナンバープレート
９  ボルト
１０  封印
【図１】
0003209965.tif 000003
【図２】
0003209965.tif 000004
【図３】
0003209965.tif 000005
【図４】
0003209965.tif 000006
【図５】
0003209965.tif 000007
【図６】
0003209965.tif 000008
【図７】
0003209965.tif 000009
【図８】
0003209965.tif 000010
【図９】
0003209965.tif 000011
【図１０】
0003209965.tif 000012
【手続補正書】
【提出日】平成29年2月1日(2017.2.1)
【手続補正１】
【補正対象書類名】実用新案登録請求の範囲
【補正対象項目名】請求項１
【補正方法】変更
【補正の内容】
【請求項１】
ナンバープレート同等サイズの板材裏面にナンバープレートを車両に固定しているボルト頭部分に引っ掛かる形状のボルト掛け部材を粘着剤で貼り付けてナンバープレートを車両に固定しているボルト頭部分に設置してナンバープレートを隠すことを特徴とするフロント用ナンバープレート隠し。
【手続補正２】
【補正対象書類名】実用新案登録請求の範囲
【補正対象項目名】請求項２
【補正方法】変更
【補正の内容】
【請求項２】
ナンバープレート同等サイズの板材裏面にナンバープレートを車両に固定しているボルト頭部分に引っ掛かる形状のボルト掛け部材、封印部には封印に引っ掛かる形状の封印掛け部材を粘着剤で貼り付けてナンバープレートを車両に固定しているボルト頭部分、及び封印部分に設置してナンバープレートを隠すことを特徴とするリア用ナンバープレート隠し。
【手続補正３】
【補正対象書類名】実用新案登録請求の範囲
【補正対象項目名】請求項３
【補正方法】変更
【補正の内容】
【請求項３】
ナンバープレート同等サイズの板材表面に文字又は図形を描いたことを特徴とする請求項１または２に記載のナンバープレート隠し。
【手続補正４】
【補正対象書類名】明細書
【補正対象項目名】０００５
【補正方法】変更
【補正の内容】
【０００５】  上述の課題を解決するための本考案に係るナンバープレート隠しの特徴はナンバープレート同等サイズの板材裏面にナンバープレートを車両に固定しているボルト頭部分に引っ掛かる形状のボルト掛け部材を粘着剤で貼り付けてナンバープレートを車両に固定しているボルト頭部分に設置してナンバープレートを隠すことにある。なお、リア側の封印部には封印に引っ掛かる形状の封印掛け部材を粘着剤で貼り付ける。